(57)【要約】    【課題】      ＨＳＤＰＡ方式でのコンプレストモードにおいて、ＤＬ送信ギャップ区間の到来を予測することによって、電力の浪費を抑制でき、かつ、誤り訂正能力が不用意に低下することのない受信装置及び送受信装置、並びにその装置の制御方法を提供すること。    【解決手段】  送信ギャップ検出部１０３は、ＣＭ制御部１２１から通知されるコンプレストモードに関する情報に基づいてＤＬ送信ギャップ区間と重畳するＨＳ−ＳＣＣＨ及びＨＳ−ＰＤＳＣＨのサブフレームを特定し、特定されたサブフレームについての情報を受信制御部１０４に入力する。受信制御部１０４は、送信ギャップ検出部１０３から入力されてくる情報に基づいてその特定されたＨＳ−ＳＣＣＨ及びＨＳ−ＰＤＳＣＨそれぞれのサブフレームについて受信処理を中止させるための制御信号を受信部１１０に入力する。  【選択図】      図１
2005110179.tif 000002
【特許請求の範囲】
【請求項１】
ＨＳＤＰＡ方式で基地局から送信されてくるパケットデータを受信する受信手段と、
前記パケットデータに基づいてコンプレストモードでの送信ギャップ区間を検出する送信ギャップ検出手段と、
検出された前記送信ギャップ区間において、前記受信手段に前記パケットデータの受信を中止させる受信制御手段と、を具備することを特徴とする受信装置。
【請求項２】
前記送信ギャップ検出手段は、前記パケットデータが前記基地局から前記コンプレストモードで送信されてくる前に、前記コンプレストモードでの前記送信ギャップ区間の位置を算出する、ことを特徴とする請求項１に記載の受信装置。
【請求項３】
ＨＳＤＰＡ方式で基地局から送信されてくるパケットデータを受信する受信手段と、
前記パケットデータに基づいてコンプレストモードでの送信ギャップ区間を検出する送信ギャップ検出手段と、
検出された前記送信ギャップ区間において、前記受信手段に前記パケットデータの受信を中止させる受信制御手段と、
前記パケットデータの受信結果を生成し、生成された前記受信結果を前記基地局に送信する送信手段と、
前記送信ギャップ区間における前記パケットデータの前記受信結果の生成を中止させる送信制御手段と、を具備することを特徴とする送受信装置。
【請求項４】
ＨＳＤＰＡ方式で基地局から送信されてくるパケットデータを受信する受信ステップと、
前記パケットデータに基づいてコンプレストモードでの送信ギャップ区間を検出する送信ギャップ検出ステップと、
検出された前記送信ギャップ区間において、前記受信ステップでの前記パケットデータの受信を中止させる受信制御ステップと、を具備することを特徴とする受信装置の制御方法。
【請求項５】
ＨＳＤＰＡ方式で基地局から送信されてくるパケットデータを受信する受信ステップと、
前記パケットデータに基づいてコンプレストモードでの送信ギャップ区間を検出する送信ギャップ検出ステップと、
検出された前記送信ギャップ区間において、前記受信ステップでの前記パケットデータの受信を中止させる受信制御ステップと、
前記パケットデータの受信結果を生成し、生成された前記受信結果を前記基地局に送信する送信ステップと、
前記送信ギャップ区間における前記パケットデータの前記受信結果の生成を中止させる送信制御ステップと、を具備することを特徴とする送受信装置の制御方法。
【発明の詳細な説明】
【技術分野】
【０００１】
本発明は、第３世代携帯電話システムの標準化団体である３ＧＰＰ(3rd Generation Partnership Project)で提案されているＨＳＤＰＡ(High Speed Downlink Packet Access)による方式において、コンプレストモード（Compressed Mode：圧縮モード）中に送信されるパケットデータの受信装置及び送受信装置、並びにその装置の制御方法に関する。
【背景技術】
【０００２】
近年、３ＧＰＰでは、高速データ伝送方法として、ＨＳＤＰＡ方式が検討されている。ＨＳＤＰＡ方式は、回線状態に応じて、チャネルコーデック、拡散率、コード多重数乃至変調方式を変更して伝送レートを変更することにより平均スループットを向上させることが可能な通信方式である。このＨＳＤＰＡ方式では、基地局から移動局へ無線信号を送信するダウンリンク（以下、「ＤＬ」と称す）として、パケットデータ用のチャネルであるＨＳ−ＰＤＳＣＨ(High Speed Physical Downlink Shared Channel)と、このＨＳ−ＰＤＳＣＨを受信するために必要な情報(チャネライゼーションコード、符号化率、符号化方式乃至変調方式等)を伝送する制御チャネルであるＨＳ−ＳＣＣＨ(High Speed-Shared Control Channel)と、が規定されている。
【０００３】
図９に、ＨＳ−ＰＤＳＣＨ及びＨＳ−ＳＣＣＨのフレーム構成を示す。ＨＳ−ＰＤＳＣＨ及びＨＳ−ＳＣＣＨは、３スロットで構成されるサブフレームを最小の基本単位とする。従って、ダウンリンクでは、このサブフレーム単位でパケットデータが送信されることになる。なお、１サブフレームのフレーム長は２ｍｓｅｃである。
【０００４】
また、ＨＳＤＰＡ方式では、移動局から基地局へ無線信号が送信されるアップリンク（以下、「ＵＬ」と称す）として、受信されたＨＳ−ＰＤＳＣＨのパケットデータが移動局で正しく復号されたか否かを通知するＡＣＫ／ＮＡＣＫ情報と、現在の回線状態を通知するＣＱＩ（Channel Quality Indicator）と、を送信するチャネルであるＨＳ−ＤＰＣＣＨ（High Speed Dedicated Physical Control Channel）が規定されている。図９に、ＨＳ−ＤＰＣＣＨのフレーム構成を併せて示す。ＨＳ−ＤＰＣＣＨも３スロットで構成されるサブフレームを最小の基本単位とし、その１サブフレームのフレーム長は２ｍｓｅｃである。また、ＨＳ−ＤＰＣＣＨのサブフレームにおける先頭の１スロットがＡＣＫ信号又はＮＡＣＫ信号を格納されるＡＣＫ／ＮＡＣＫフィールドであり、その後の２スロットがＣＱＩを格納されるＣＱＩフィールドである。
【０００５】
ところで、セルラー方式の無線通信では、Ｗ−ＣＤＭＡ方式のセルとＧＳＭ方式のセルとで、或いはＷ−ＣＤＭＡ方式のセル同士で異なる周波数帯域を使用する場合があり、このような周波数帯域の異なるセルの間を移動局がハンドオーバーするには、移動局は現在所属するセルの基地局との通信中に他のセルの基地局から送信されてくる他の周波数帯域の信号を受信して、他のセルの基地局に関する制御情報を予め取得しておく必要がある。そこで、ＨＳＤＰＡ方式では、移動局と通信中の基地局が通信に悪影響を及ぼさない範囲でＤＬを使用しない区間（ＤＬ送信ギャップ区間）を設けること、並びに移動局がこのＤＬ送信ギャップ区間中に他のセルの基地局に関する制御情報を取得すること、が規定されている。このように、ＨＳＤＰＡ方式の無線通信において、基地局と移動局との間でその通信を中止する区間を設ける方式をコンプレストモードという。なお、コンプレストモードでは、ＵＬにだけ送信ギャップ区間が設けられる場合やＵＬとＤＬとに共に送信ギャップ区間が設けられる場合もある。なお、非特許文献１には、ＨＳＤＰＡ方式におけるコンプレストモードの規定が記載されている。
【０００６】
また、移動局を用いた無線通信では、基地局からの着呼を待ち受ける待ち受け時間と通信時間とを延長させるための技術が多種多様に開発されてきたところであるが、例えば特許文献１には、待ち受け時間中の移動局の電力消費を抑えるため、移動局に待ち受け動作を間欠的に行わせる技術が記載されている。
【特許文献１】特開２００２−３６８６７６号公報
【非特許文献１】Title :  “CQI reporting in DL Compressed Mode”, Source : Philips, 3GPP TSG RAN WG1#33, Agenda Item : 5.3, Document No : Tdoc R1-030742, New York, USA, 25th - 29th August 2003
【発明の開示】
【発明が解決しようとする課題】
【０００７】
しかしながら、ＨＳＤＰＡ方式でのＨＳ−ＰＤＳＣＨとＨＳ−ＳＣＣＨとの共通チャネルによるパケットデータ送信において、コンプレストモードにおけるＤＬ送信ギャップ区間では、移動局は所属するセルの基地局が前記共通チャネルでパケットデータを送信していないにもかかわらず、その共通チャネルの受信処理を行ってしまうため、不要な受信処理によって電力が浪費されてしまう問題がある。
【０００８】
このような移動局における電力の浪費を抑制するために、特許文献１に記載された従来の技術を利用することが考えられる。しかし、特許文献１に記載された従来の技術はＣＤＭＡ方式を前提とする技術であり、この従来の技術をＣＤＭＡ方式と異なるチャネルを扱う通信規格の全く異なるＨＳＤＰＡ方式にそのまま転用することは極めて困難である。
【０００９】
また、ＨＳＤＰＡ方式では、Ｈ−ＡＲＱ（Hybrid-Automatic Repeat reQuest）方式による再送制御が行われており、移動局は、パケットデータを正しく受信できなかった場合は、基地局に対して再送要求を送信してパケットデータを再送してもらう制御を行っている。Ｈ−ＡＲＱ方式において、移動局は、再送前のデータと再送データとを合成して再度誤り訂正処理を行うため、再送用バッファに再送前のデータを蓄積することになる。従って、コンプレストモード中のＤＬ送信ギャップ区間において、移動局が本来送信されてくるはずのない基地局からの無線信号を何らかの要因によって誤って受信してしまうと、その再送用バッファに本来受信すべきでない誤ったデータが上書されるため、移動局の誤り訂正能力が低下してしまう問題がある。
【００１０】
本発明はかかる点に鑑みてなされたものであり、ＨＳＤＰＡ方式でのコンプレストモードにおいて、ＤＬ送信ギャップ区間の到来を予測することによって、電力の浪費を抑制でき、かつ、誤り訂正能力が不用意に低下することのない受信装置及び送受信装置、並びにその装置の制御方法を提供することを目的とする。
【課題を解決するための手段】
【００１１】
本発明に係る受信装置は、ＨＳＤＰＡ方式で基地局から送信されてくるパケットデータを受信する受信手段と、前記パケットデータに基づいてコンプレストモードでの送信ギャップ区間を検出する送信ギャップ検出手段と、検出された前記送信ギャップ区間において、前記受信手段に前記パケットデータの受信を中止させる受信制御手段と、を具備する構成を採る。
【００１２】
この構成によれば、ＨＳＤＰＡ方式でのコンプレストモードにおけるＤＬ送信ギャップ区間の出現時期を予測して、その区間におけるパケットデータの受信処理を予め中止するため、この受信装置の電力消費を効果的に抑制することができる。また、この構成によれば、受信装置の再送用バッファに本来受信すべきでない誤ったデータが上書されることを防止できるため、受信装置のＨ−ＡＲＱ方式での誤り訂正能力が低下することを回避することができる。
【００１３】
本発明に係る受信装置は、前記発明において、前記送信ギャップ検出手段は、前記パケットデータが前記基地局から前記コンプレストモードで送信されてくる前に、前記コンプレストモードでの前記送信ギャップ区間の位置を算出する、構成を採る。
【００１４】
この構成によれば、前記発明による効果に加えて、ＤＬ送信ギャップ区間が出現する位置をコンプレストモードによるパケットデータを実際に受信する前に検出できるため、ＤＬ送信ギャップ区間と重畳するパケットデータの受信を早急に中止することができ、受信装置の電力消費を一層抑制することができる。
【００１５】
本発明に係る送受信装置は、ＨＳＤＰＡ方式で基地局から送信されてくるパケットデータを受信する受信手段と、前記パケットデータに基づいてコンプレストモードでの送信ギャップ区間を検出する送信ギャップ検出手段と、検出された前記送信ギャップ区間において、前記受信手段に前記パケットデータの受信を中止させる受信制御手段と、前記パケットデータの受信結果を生成し、生成された前記受信結果を前記基地局に送信する送信手段と、前記送信ギャップ区間における前記パケットデータの前記受信結果の生成を中止させる送信制御手段と、を具備する構成を採る。
【００１６】
この構成によれば、ＤＬ送信ギャップ区間における本来受信されるはずのないパケットデータに基づいて受信結果が生成されることを事前に回避できるため、送受信装置の電力消費を一層抑制することができる。
【００１７】
本発明に係る受信装置の制御方法は、ＨＳＤＰＡ方式で基地局から送信されてくるパケットデータを受信する受信ステップと、前記パケットデータに基づいてコンプレストモードでの送信ギャップ区間を検出する送信ギャップ検出ステップと、検出された前記送信ギャップ区間において、前記受信ステップでの前記パケットデータの受信を中止させる受信制御ステップと、を具備するようにした。
【００１８】
この方法によれば、ＨＳＤＰＡ方式でのコンプレストモードにおけるＤＬ送信ギャップ区間の出現時期を予測して、その区間におけるパケットデータの受信処理を予め中止するため、この受信装置の電力消費を効果的に抑制することができる。また、この構成によれば、受信装置の再送用バッファに本来受信すべきでない誤ったデータが上書されることを防止できるため、受信装置のＨ−ＡＲＱ方式での誤り訂正能力が低下することを回避することができる。
【００１９】
本発明に係る送受信装置の制御方法は、ＨＳＤＰＡ方式で基地局から送信されてくるパケットデータを受信する受信ステップと、前記パケットデータに基づいてコンプレストモードでの送信ギャップ区間を検出する送信ギャップ検出ステップと、検出された前記送信ギャップ区間において、前記受信ステップでの前記パケットデータの受信を中止させる受信制御ステップと、前記パケットデータの受信結果を生成し、生成された前記受信結果を前記基地局に送信する送信ステップと、前記送信ギャップ区間における前記パケットデータの前記受信結果の生成を中止させる送信制御ステップと、を具備するようにした。
【００２０】
この方法によれば、ＤＬ送信ギャップ区間における本来受信されるはずのないパケットデータに基づいて受信結果が生成されることを事前に回避できるため、送受信装置の電力消費を一層抑制することができる。
【発明の効果】
【００２１】
本発明によれば、ＨＳＤＰＡ方式におけるＨＳ−ＰＤＳＣＨ及びＨＳ−ＳＣＣＨの受信中にコンプレストモードが発生したときでも、移動局がＤＬ送信ギャップ区間の到来を予測してＨＳ−ＰＤＳＣＨ及びＨＳ−ＳＣＣＨの受信を中止するため、移動局の電力消費を抑制することができ、かつ、その誤り訂正能力の低下を回避することができる。
【００２２】
さらに、本発明によれば、移動局がＤＬ送信ギャップ区間と重畳するＨＳ−ＰＤＳＣＨのデータに対応するＨＳ−ＤＰＣＣＨのＡＣＫ／ＮＡＣＫ情報の送信処理を中止するため、移動局の電力消費を一層抑制することができる。
【発明を実施するための最良の形態】
【００２３】
本発明の骨子は、ＨＳＤＰＡ方式でのコンプレストモードにおいて、移動局が現在所属するセルの基地局から送信されてくるパケットデータに基づいてＤＬ送信ギャップ区間の出現位置を予測し、そのＤＬ送信ギャップ区間と重畳するＨＳ−ＰＤＳＣＨ及びＨＳ−ＳＣＣＨのパケットデータを受信しないようにすることである。
【００２４】
以下、本発明の実施の形態について、図面参照しつつ詳細に説明する。
【００２５】
（実施の形態１）
図１は、本発明の実施の形態１に係る受信装置１００の構成を示すブロック図である。なお、受信装置１００は、通常は携帯電話等の移動局に内蔵されて使用される。受信装置１００は、アンテナ素子１０１、ＲｘＲＦ部１０２、送信ギャップ検出部１０３、受信制御部１０４、クロック生成部１０５、受信部１１０及びＣＭ制御部１２１を具備する。さらに、受信部１１０は、逆拡散部１１１、復調部１１２及び復号化部１１３を具備する。
【００２６】
アンテナ素子１０１は、基地局から送信されてくる無線信号を捕捉し、その受信信号をＲｘＲＦ部１０２に入力する。
【００２７】
ＲｘＲＦ部１０２は、公知のバンドパスフィルタ及び低雑音増幅器等を具備して、アンテナ素子１０１から入力されてくる受信信号を、ＤＰＣＨ(Dedicated Physical CHannel)とＨＳ−ＳＣＣＨとＨＳ−ＰＤＳＣＨとのチャネル別に分離して、分離されたチャネル別の受信信号をそれぞれ増幅した後に受信部１１０に入力する。
【００２８】
送信ギャップ検出部１０３は、ＣＭ制御部１２１から通知されてくるコンプレストモードに関する情報に基づいてＤＬ送信ギャップ区間と重畳するＨＳ−ＳＣＣＨ及びＨＳ−ＰＤＳＣＨのサブフレームを特定し、特定されたサブフレームについての情報を受信制御部１０４に入力する。
【００２９】
受信制御部１０４は、送信ギャップ検出部１０３から入力されてくる情報に基づいてその特定されたＨＳ−ＳＣＣＨ及びＨＳ−ＰＤＳＣＨそれぞれのサブフレームについて受信処理を中止させるための制御信号を受信部１１０に入力する。
【００３０】
クロック生成部１０５は、受信部１１０が受信処理を中止し再開する時期を判断するために必要なクロックを生成して受信部１１０に提供する。
【００３１】
逆拡散部１１１は、ＲｘＲＦ部１０２から入力されてくるチャネル別の受信信号を逆拡散処理してシンボルデータを生成し、生成されたシンボルデータを復調部１１２に入力する。
【００３２】
復調部１１２は、逆拡散部１１１から入力されてくるチャネル別のシンボルデータをビットデータに復調し、復調されたチャネル別のビットデータを復号化部１１３に入力する。
【００３３】
復号化部１１３は、復調部１１２から入力されてくるチャネル別のビットデータをパケット単位で復号化し、復号化されたＤＰＣＨのデータをＣＭ制御部１２１に入力する。また、復号化部１１３は、復調部１１２から入力されてくるＨＳ−ＳＣＣＨのデータ及びＨＳ−ＰＤＳＣＨのデータをそれぞれ別個に図示しないベースバンド部に入力する。
【００３４】
ＣＭ制御部１２１は、復号化部１１３から入力されてくるＤＰＣＨのデータからコンプレストモードに関する情報即ちＤＰＣＨのフレーム番号を示す値としてＣＦＮ(Connection Frame Number)を定義したときのＤＬ送信ギャップ区間が開始されるＣＦＮ番号と、そのＤＬ送信ギャップ区間の開始スロット番号Nfirstと、そのギャップ長を示すＴＧＬ（Transmission GAP Length）と、を抽出する。また、ＣＭ制御部１２１は、これらの抽出されたコンプレストモードに関する情報を適切なタイミングで送信ギャップ検出部１０３に入力する。
【００３５】
また、図４に、受信部１１０のより詳細な構成を、ＲｘＲＦ部１０２から入力されてくるチャネル毎に示す。受信部１１０は、ＤＰＣＨ受信部４１１、ＨＳ−ＳＣＣＨ受信部４１２、ＨＳ−ＰＤＳＣＨ受信部４１３、第１の論理素子４２２及び第２の論理素子４２３を具備する。
【００３６】
ＤＰＣＨ受信部４１１は、ＲｘＲＦ部１０２からＤＰＣＨの受信信号を入力されると伴に、クロック生成部１０５からシステムクロックＳＣＬの分岐されたクロックＣＬ１を入力される。そして、ＤＰＣＨ受信部４１１は、システムクロックＳＣＬを基準とした所定の周期で、ＤＰＣＨを逆拡散、復調及び復号化処理することによって生成したコンプレストモードに関する情報を含むデータをＣＭ制御部１２１に入力する。なお、ＨＳ−ＳＣＣＨ受信部４１２、ＨＳ−ＰＤＳＣＨ受信部４１３、第１の論理素子４２２及び第２の論理素子４２３の動作については、後述する。
【００３７】
ここで、コンプレストモードでのＤＬ送信ギャップ区間の情報は、ＨＳ−ＳＣＣＨ及びＨＳ−ＰＤＳＣＨに付随する個別チャネルＤＰＣＨを復号することによって得られるため、受信装置１００は基地局との通信中にＤＰＣＨを受信してＤＬ送信ギャップ区間の情報を常時更新する必要がある。なお、ＤＰＣＨのフレームは、図８に示す通り１５スロットを基本単位とし、そのフレーム長は１０ｍｓｅｃである。また、送信ギャップ区間は、必ずＤＰＣＨのスロットバウンダリで発生するように基地局で制御される。
【００３８】
図１０に、ＨＳＤＰＡ方式における共通パイロットチャネルＣＰＩＣＨ（Common Pilot Channel）を基準としたＤＰＣＨと、ＨＳ−ＳＣＣＨと、ＨＳ−ＰＤＳＣＨとの間のフレームオフセットを示す。ＤＰＣＨは、ＣＰＩＣＨのフレームタイミングに対してＴｎ＝２５６ｃｈｉｐ×ｍ（ｍ＝０、１、…、１４９）のオフセットを有する。ＨＳ−ＳＣＣＨのフレームタイミングは、ＣＰＩＣＨのフレームタイミングと一致する。ＨＳ−ＰＤＳＣＨは、ＨＳ−ＳＣＣＨに２スロット遅れてＨＳ−ＳＣＣＨとセットで送信される。ＨＳ−ＳＣＣＨのサブフレームの情報は、２スロット遅れて送信されるＨＳ−ＰＤＳＣＨのサブフレームを受信するための制御情報を具備する。
【００３９】
また、送信ギャップ検出部１０３は、ＤＰＣＨのフレーム番号を示すＣＦＮの更新時に一度、該当するＣＦＮの一つ前のＣＦＮ「ＣＦＮ−１」の区間で、該当するＣＦＮに対応するＨＳ−ＳＣＣＨ及びＨＳ−ＰＤＳＣＨの５つのサブフレームの対についてＤＬ送信ギャップ区間と重畳するサブフレームを算出する。このとき、ＤＰＣＨのスロットバウンダリとＨＳ−ＳＣＣＨ乃至ＨＳ−ＰＤＳＣＨのサブフレームバウンダリが一致しない場合があるため、該当するＣＦＮ番号に対応するＨＳ−ＳＣＣＨ乃至ＨＳ−ＰＤＳＣＨのサブフレーム領域の決め方を予め定義しておく必要がある。図１０、図１１及び図１２に、その定義の態様を例示する。
【００４０】
例えば、図１０に示す態様では、ＣＦＮ番号に対応するＨＳ−ＳＣＣＨ及びＨＳ−ＰＤＳＣＨのサブフレームは、ＣＰＩＣＨのバウンダリについているＨＳ−ＳＣＣＨのサブフレームとそれに対応するＨＳ−ＰＤＳＣＨのサブフレームをそれぞれSubframe#0として、それらのSubframe#0からSubframe#4までとなる。また、図１１に示す態様では、ＤＰＣＨのフレームバウンダリを含むＨＳ−ＳＣＣＨのサブフレームをSubframe#0として、そのSubframe#0からSubframe#4までとなり、或いは図１２に示す態様では、ＤＰＣＨのフレームバウンダリを含むＨＳ−ＰＤＳＣＨのサブフレームをSubframe#0として、そのSubframe#0からSubframe#4までとなる。
【００４１】
次いで、図２及び図３を用いて、送信ギャップ検出部１０３の動作について説明する。図２に、送信ギャップ検出部１０３の動作タイミングと、ＤＬのＣＰＩＣＨ、ＤＰＣＨ、ＨＳ−ＳＣＣＨ及びＨＳ−ＰＤＳＣＨのサブフレームと、のタイミング関係を示す。なお、図２では、ＣＦＮ番号に対応するＨＳ−ＳＣＣＨ及びＨＳ−ＰＤＳＣＨのサブフレーム領域の定義として、図１１に示すＤＰＣＨのフレームバウンダリを含むＨＳ−ＳＣＣＨのサブフレームをSubframe#0とする態様を採用する。
【００４２】
図２に示す通り、CFN[n]２１に対応するＨＳ−ＳＣＣＨのサブフレームはSubframe[0]２２−１、Subframe[1]２２−２、Subframe[2]２２−３、Subframe[3]２２−４及びSubframe[4]２２−５であり、同様にＨＳ−ＰＤＳＣＨのサブフレームはSubframe[0]２３−１、Subframe[1]２３−２、Subframe[2]２３−３、Subframe[3]２３−４及びSubframe[4]２３−５である。そして、CFN[n]２１に対応するＨＳ−ＳＣＣＨ及びＨＳ−ＰＤＳＣＨにＤＬ送信ギャップ区間が重畳するか検出を開始するタイミングは、CFN[n]２１のひとつ前のCFN[n-1]２０のスタートポイントである演算タイミング２６となる。
【００４３】
次いで、図３に送信ギャップ検出部１０３の動作をフロー図で示す。先ず、ステップＳＴ３１０では、送信ギャップ検出部１０３が演算タイミング２６の時点で、CFN[n]２１に対応するＨＳ−ＳＣＣＨ及びＨＳ−ＰＤＳＣＨのサブフレームにおいてＤＬ送信ギャップ区間の検出を試みる。
【００４４】
続いて、ステップＳＴ３２０では、送信ギャップ検出部１０３が、演算タイミング２６の時点でＣＭ制御部１２１からコンプレストモードに関する情報即ちＣＦＮ番号、Nfirst及びＴＧＬについての情報を通知される。
【００４５】
続いて、ステップＳＴ３３０では、送信ギャップ検出部１０３がＣＭ制御部１２１から通知された情報に基づいて演算タイミング２６を基準として、CFN[n]２１に対応するＤＬ送信ギャップ区間のスタート位置とそのエンド位置とを計算する。このとき、CFN[n]２１に対応するＨＳ−ＳＣＣＨ及びＨＳ−ＰＤＳＣＨのサブフレームにＤＬ送信ギャップ区間が重畳する態様は、２通り考えられる。一つは図２におけるTGL[0]２５−１のように、NfirstがCFN[n]２１に存在する態様、もう一つはTGL[１]２５−２のように、NfirstがCFN[n]２１のひとつ前のCFN[n-1]２０に存在して、かつ、ＤＬ送信ギャップ区間のエンド位置がCFN[n]２１に及ぶ態様である。従って、送信ギャップ検出部１０３は、CFN[n]２１とCFN[n-1]２０について、ＣＭ制御部１２１から通知されたＤＬ送信ギャップ区間が開始されるＣＦＮ番号と比較して、ＤＬ送信ギャップ区間のスタート位置及びそのエンド位置を計算することになる。
【００４６】
続いて、ステップＳＴ３４０では、送信ギャップ検出部１０３がCFN[n]２１又はCFN[n-1]２０についてＤＬ送信ギャップ区間が検出されたか判定する。ステップＳＴ３４０においてＤＬ送信ギャップ区間が検出されなければ、送信ギャップ検出部１０３は、ステップＳＴ３６０に遷移してＤＬ送信ギャップ区間が検出されなかった旨のＧＡＰ検出信号（図示しないギャップ検出用レジスタを全て「０」にセットする信号）を受信制御部１０４に入力して、一連の動作を終了する。一方で、ステップＳＴ３４０においてＤＬ送信ギャップ区間が検出されれば、送信ギャップ検出部１０３は、ステップＳＴ３５０に遷移して、動作を続行する。
【００４７】
続いて、ステップＳＴ３５０では、送信ギャップ検出部１０３は、図２におけるCFN[n]２１に対応するＨＳ−ＳＣＣＨとＨＳ−ＰＤＳＣＨとの５つのサブフレームのセットについてのArea[0]２４−１、Area[1]２４−２、Area[2]２４−３、Area[3]２４−４及びArea[4]２４−５を計算する。このArea[0]２４−１は、ＨＳ−ＳＣＣＨのSubframe[0]２２−１のスタートポイントからＨＳ−ＰＤＳＣＨのSubframe[0]２３−１のエンドポイントの範囲であり、同様にArea[1]２４−２は、Subframe[1]２２−２のスタートポイントからSubframe[1]２３−２のエンドポイントの範囲であり、同様にArea[2]２４−３は、Subframe[2]２２−３のスタートポイントからSubframe[2]２３−３のエンドポイントの範囲であり、同様にArea[3]２４−４は、Subframe[3]２２−４のスタートポイントからSubframe[3]２３−４のエンドポイントの範囲であり、同様にArea[4]２４−５は、Subframe[4]２２−５のスタートポイントからSubframe[4]２３−５のエンドポイントの範囲である。
【００４８】
続いて、ステップＳＴ３７０では、送信ギャップ検出部１０３は、ステップＳＴ３３０で算出した送信ギャップ範囲TGL[0]２５−１又はTGL[１]２５−２がArea[0]２４−１からArea[4]２４−５の範囲と重畳するかそれぞれについて検出して、重畳していれば「１」、重畳していなければ「０」という信号を、５つのサブフレーム分のＧＡＰ検出信号として受信制御部１０４に入力し、その後一連の動作を終了する。
【００４９】
続いて、図７を用いて、受信制御部１０４の動作について詳細に説明する。図７では、ＤＬ送信ギャップ区間が、TGL７２のタイミングで発生したときの例について示す。
【００５０】
図３に示すフロー図に従って、CFN[n]７０に対応するＨＳ−ＳＣＣＨとＨＳ−ＰＤＳＣＨとの５つのサブフレームのセットについて、送信ギャップ検出部１０３から受信制御部１０４に、５つのＧＡＰ検出信号即ち第１のＧＡＰ検出信号ＧＡＰ１、第２のＧＡＰ検出信号ＧＡＰ２、第３のＧＡＰ検出信号ＧＡＰ３、第４のＧＡＰ検出信号ＧＡＰ４及び第５のＧＡＰ検出信号ＧＡＰ５がそれぞれ入力される。
【００５１】
TGL７２に係るＤＬ送信ギャップ区間は、ＨＳ−ＳＣＣＨのSubframe[2]２２−３からＨＳ−ＰＤＳＣＨのSubframe[3]２３−４に及ぶため、Area[1]２４−２と、Area[2]２４−３と、Area[3]２４−４とは、TGL７２と重畳することになる。従って、第２のＧＡＰ検出信号ＧＡＰ２と、第３のＧＡＰ検出信号ＧＡＰ３と、第４のＧＡＰ検出信号ＧＡＰ４と、は「１」となり、一方で第１のＧＡＰ検出信号ＧＡＰ１と、第５のＧＡＰ検出信号ＧＡＰ５と、は「０」となる。
【００５２】
そして、これらのＧＡＰ検出信号を入力された受信制御部１０４は、ＧＡＰ１からＧＡＰ５に基づいてＨＳ−ＳＣＣＨ及びＨＳ−ＰＤＳＣＨの受信処理を中止させるための信号即ち第１の制御信号ＣＳ１と、第２の制御信号ＣＳ２と、を生成する。
【００５３】
この第１の制御信号ＣＳ１は、受信制御部１０４から第１の論理素子４２２に入力されて、ＧＡＰ検出信号が「１」に該当するＨＳ−ＳＣＣＨのサブフレーム区間を「ＬＯＷ」にする信号に変換される。つまり、図７の例では、第２のＧＡＰ検出信号ＧＡＰ２と、第３のＧＡＰ検出信号ＧＡＰ３と、第４のＧＡＰ検出信号ＧＡＰ４と、がいずれも「１」であるため、ＨＳ−ＳＣＣＨのサブフレームSubframe[1]２２−２、Subframe[2]２２−３及びSubframe[3]２２−４の区間が「ＬＯＷ」となる信号が第１の論理素子４２２で生成されてＨＳ−ＳＣＣＨ受信部４１２に入力されることになる。
【００５４】
同様に、この第２の制御信号ＣＳ２は、受信制御部１０４から第２の論理素子４２３に入力されて、ＧＡＰ検出信号が「１」に該当するＨＳ−ＰＤＳＣＨのサブフレームSubframe[1]２３−２、Subframe[2]２３−３及びSubframe[3]２３−４の区間を「ＬＯＷ」にする信号に変換される。
【００５５】
また、ＨＳ−ＳＣＣＨのサブフレームに対してＨＳ−ＰＤＳＣＨのサブフレームは２スロットのオフセットを常に有することを考慮して、図６に示すように、受信制御部１０４から第１の制御信号ＣＳ１のみを出力し、そのＣＳ１を途中で分岐して新たに設けたタイミング制御部６０１に入力し、ＣＳ１を２スロット分遅延させることによって第２の制御信号ＣＳ２を生成してもよい。
【００５６】
受信制御部１０４から出力された第１の制御信号ＣＳ１と第２の制御信号ＣＳ２とは、図４に示す通り、それぞれＨＳ−ＳＣＣＨ受信部４１２と、ＨＳ−ＰＤＳＣＨ受信部４１３と、の動作クロックを停止させることでそれらの受信処理を中止させる信号に変換される。そこで、第１の論理素子４２２からＨＳ−ＳＣＣＨ受信部４１２に入力される信号を第２のクロックＣＬ２とし、第２の論理素子４２３からＨＳ−ＰＤＳＣＨ受信部４１３に入力される信号を第３のクロックＣＬ３としたときにおけるそれらのクロックの生成方法を図５に示す。
【００５７】
図５に示すように、クロック生成部１０５からのシステムクロックＳＣＬと第１の制御信号ＣＳ１とを共に第１の論理素子４２２に入力し、同様にＳＣＬと第２の制御信号ＣＳ２とを共に第２の論理素子４２３に入力して、それぞれのクロックをゲーティッドさせる。その結果、図７に示すように、ＨＳ−ＳＣＣＨ受信部４１２及びＨＳ−ＰＤＳＣＨ受信部４１３に対して、送信ギャップTGL７２と重畳したサブフレーム区間の受信処理を中止させる第２のクロックＣＬ２及び第３のクロックＣＬ３を生成することができる。
【００５８】
また、ＤＰＣＨ受信部４１１に入力する第１のクロックＣＬ１についてもコンプレストモード中に受信処理を中止させる必要があれば、ＨＳ−ＳＣＣＨやＨＳ−ＰＤＳＣＨと同様の制御を行ってもよい。
【００５９】
このように、実施の形態１によれば、ＨＳＤＰＡ方式でのコンプレストモード中のＤＬ送信ギャップ区間の出現位置を事前に予測できるため、ＨＳ−ＰＤＳＣＨ又はＨＳ−ＳＣＣＨを受信中にコンプレストモードが発生した場合でも、ＤＬ送信ギャップ区間と重畳するＨＳ−ＰＤＳＣＨ又はＨＳ−ＳＣＣＨのパケットデータについての受信処理を中止することができることから、受信装置１００における電力の浪費を抑えることができる。
【００６０】
さらに、本実施の形態によれば、ＨＳＤＰＡ方式でのコンプレストモード中に送信されてくるパケットデータの受信によって再送用バッファに誤った値が上書きされることを防止できるため、Ｈ−ＡＲＱ方式の誤り訂正機構を備える受信装置１００の誤り訂正能力が低下することを防ぐことができる。
【００６１】
（実施の形態２）
本発明に係る実施の形態２について、図１３から図１５を参照しつつ具体的に説明する。図１３に、本発明の実施の形態２に係る送受信装置１３００の構成を示す。送受信装置１３００は、上記実施の形態１に係る受信装置１００の構成部を全て備え、さらに送信制御部１３０１、送信部１３１０、ＴｘＲＦ部１３０２及びアンテナ共用器１３０３を具備する。従って、本実施の形態では、実施の形態１との重複説明を避けるため、送受信装置１３００の構成部及びその動作について、受信装置１００の構成部と実質的に同一の機能を発揮するものには同一の参照符号を付して、その説明を省略する。また、本実施の形態では、送信部１３１０がＨＳ−ＤＰＣＣＨのサブフレームにおけるＡＣＫ／ＮＡＣＫフィールドにＡＣＫ信号又はＮＡＣＫ信号を格納して送信することについて説明するが、同サブフレームにおけるＣＱＩフィールドに格納されるＣＱＩについての説明は省略する。なお、送受信装置１３００も受信装置１００と同様に、通常は携帯電話等の移動局に内蔵されて使用される。
【００６２】
送信制御部１３０１は、送信ギャップ検出部１０３から入力されてくるＧＡＰ検出信号に基づいてＤＬ送信ギャップ区間のスタート位置及びエンド位置を把握し、そのＤＬ送信ギャップ区間に対応するＨＳ−ＤＰＣＣＨのサブフレームにおいてＮＡＣＫ信号を基地局に送信しないように、送信部１３１０に制御信号を入力する。
【００６３】
ＴｘＲＦ部１３０２は、バンドパスフィルタ、低雑音増幅器及び周波数変換機等を具備し、送信部１３１０から入力されてくるＨＳ−ＤＰＣＣＨの送信信号に周波数変換・増幅等の所定の信号処理を施した後に、アンテナ共用器１３０３に入力する。
【００６４】
アンテナ共用器１３０３は、アンテナ素子１０１から入力されてくる受信信号をＲｘＲＦ部１０２に入力すると伴に、ＴｘＲＦ部１３０２から入力されてくるＨＳ−ＤＰＣＣＨの送信信号をアンテナ素子１０１に入力する。
【００６５】
送信部１３１０は、符号化部１３１１、変調部１３１２及び拡散部１３１３を具備する。符号化部１３１１は、復号化されたデータを正しく受信できた場合は復号化部１１３からＡＣＫ信号を、一方で正しく受信できなかった場合には復号化部１１３からＮＡＣＫ信号を入力され、このＡＣＫ信号又はＮＡＣＫ信号をＨＳ−ＤＰＣＣＨのサブフレームのＡＣＫ／ＮＡＣＫフィールドに格納して符号化し、符号化した送信データを変調部１３１２に入力する。
【００６６】
変調部１３１２は、符号化部１３１１から入力されてくる送信信号に所定の変調処理を施し、変調後の送信信号を拡散部１３１３に入力する。
【００６７】
拡散部１３１３は、変調部１３１２から入力されてくる変調処理された後の送信信号に拡散処理を施し、拡散された送信信号をＴｘＲＦ部１３０２に入力する。
【００６８】
次に、図１４と図１５とを参照しつつ、送信部１３１０における送信処理を中止させるための送信制御部１３０１の動作について説明する。
【００６９】
図１５に、本実施の形態に係るＨＳＤＰＡ方式における複数のチャネル間のフレームの対応関係を示す。図１５に示す態様の場合、TGL７３がＨＳ−ＳＣＣＨのSubframe[1]２２−２からＨＳ−ＰＤＳＣＨのSubframe[3]２３−４にまで及んでいるために、送信ギャップ検出部１０３は、TGL７３を検出すると、上記実施の形態１の場合と同様に、Area[1]２４−２からArea[3]２４−４までがTGL７３と重畳することから、第２のＧＡＰ検出信号ＧＡＰ２、第３のＧＡＰ検出信号ＧＡＰ３及び第４のＧＡＰ検出信号ＧＡＰ４を「１」とし、一方で第１のＧＡＰ検出信号ＧＡＰ１及び第５のＧＡＰ検出信号ＧＡＰ５を「０」として、これら５つのＧＡＰ検出信号を受信制御部１０４及び送信制御部１３０１にそれぞれ入力する。
【００７０】
ここで、ＨＳ−ＰＤＳＣＨのサブフレームに対して、ＨＳ−ＤＰＣＣＨのサブフレームのＡＣＫ／ＮＡＣＫフィールドにＡＣＫ信号又はＮＡＣＫ信号を格納して送信するタイミングは、図１０、図１１又は図１２に示す通り、ＨＳ−ＰＤＳＣＨのサブフレームのエンドポイントから７．５スロット経過後をスタートポイントとする１スロットである。従って、送信ギャップ検出部１０３によってＤＬ送信ギャップ区間が検出されたときには、ＤＬ送信ギャップ区間と重畳するサブフレームについてＡＣＫ／ＮＡＣＫ情報の判定を行う必要はないから、送受信装置１３００は、ＡＣＫ信号又はＮＡＣＫ信号を送信しなくてよいＨＳ−ＤＰＣＣＨのサブフレームを予め特定しておくことができる。本実施の形態では、第２のＧＡＰ検出信号ＧＡＰ２、第３のＧＡＰ検出信号ＧＡＰ３及び第４のＧＡＰ検出信号ＧＡＰ４が「１」であるから、これらに対応するＨＳ−ＤＰＣＣＨのSubframe[1]９０−２、Subframe[2]９０−３及びSubframe[3]９０−４のＡＣＫ／ＮＡＣＫフィールドを「ＬＯＷ」にする制御信号を第３の制御信号ＣＳ３として生成して送信部１３１０に入力すれば、不要なＡＣＫ／ＮＡＣＫ情報の判定及びその送信処理を回避することができる。
【００７１】
そして、図１４に示すように、送信制御部１３０１からの第３の制御信号ＣＳ３と、クロック生成部１０５からのシステムクロックＳＣＬと、を第３の論理素子１４１０に入力して第４のクロックＣＬ４を生成し、この第４のクロックＣＬ４を送信部１３１０に入力することによって、上記実施の形態１と同様に所望の区間における送信部１３１０の送信処理を中止させることができる。
【００７２】
このように、本実施の形態に係る送受信装置１３００によれば、ＨＳＤＰＡ方式でのコンプレストモード中におけるＤＬ送信ギャップ区間のスタート位置及びエンド位置を予め検出して把握しておくことにより、ＨＳ−ＰＤＳＣＨ又はＨＳ−ＳＣＣＨのパケットデータの受信中にコンプレストモードが発生した場合でも、ＤＬ送信ギャップ区間と重畳するＨＳ−ＰＤＳＣＨに対応するＨＳ−ＤＰＣＣＨのＡＣＫ／ＮＡＣＫ情報の判定及びその送信処理を中止することができるため、送受信装置１３００の電力の浪費を抑制することができる。
【産業上の利用可能性】
【００７３】
本発明にかかる受信装置、送受信装置及びその装置の制御方法は、ＨＳＤＰＡ方式におけるＨＳ−ＰＤＳＣＨ及びＨＳ−ＳＣＣＨの受信中にコンプレストモードが発生したときでも、受信装置等がＤＬ送信ギャップ区間の到来を予測してＨＳ−ＰＤＳＣＨ及びＨＳ−ＳＣＣＨの受信を中止するため、受信装置等の電力の浪費を抑制することができ、かつ、その誤り訂正能力が低下することを回避できるという効果を有し、携帯電話等の移動局等に有用である。
【図面の簡単な説明】
【００７４】
【図１】本発明の実施の形態１に係る受信装置の構成を示すブロック図
【図２】実施の形態１に係るＨＳＤＰＡ方式における複数のチャネル間のフレームの対応関係を示すタイミング図
【図３】本発明の実施の形態１に係る受信装置の制御方法を示すフロー図
【図４】本発明の実施の形態１に係る受信装置の構成を示すブロック図
【図５】実施の形態１における受信制御部の構成を示すブロック図
【図６】実施の形態１における受信制御部の構成を示すブロック図
【図７】実施の形態１に係るＨＳＤＰＡ方式における複数のチャネル間のフレームの対応関係を示すタイミング図
【図８】ＨＳＤＰＡ方式で規定されたＤＰＣＨのフレームフォーマットを示す図
【図９】ＨＳＤＰＡ方式で規定された複数のチャネルのフレームフォーマットを示す図
【図１０】実施の形態１における複数のチャネルのフレームオフセットの関係を示す図
【図１１】実施の形態１における複数のチャネルのフレームオフセットの関係を示す図
【図１２】実施の形態１における複数のチャネルのフレームオフセットの関係を示す図
【図１３】本発明の実施の形態２に係る送受信装置の構成を示すブロック図
【図１４】実施の形態２における送信制御部の構成を示すブロック図
【図１５】実施の形態２に係る送信部に提供されるクロックを示すタイミング図
【符号の説明】
【００７５】
１００  受信装置
１０１  アンテナ素子
１０２  ＲｘＲＦ部
１０３  送信ギャップ検出部
１０４  受信制御部
１０５  クロック生成部
１１０  受信部
１１１  逆拡散部
１１２  復調部
１１３  復号化部
１２１  ＣＭ制御部
４１１  ＤＰＣＨ受信部
４１２  ＨＳ−ＳＣＣＨ受信部
４１３  ＨＳ−ＰＤＳＣＨ受信部
４２２  第１の論理素子
４２３  第２の論理素子
６０１  タイミング制御部
１３００  送受信装置
１３０１  送信制御部
１３０２  ＴｘＲＦ部
１３０３  アンテナ共用器
１３１０  送信部
１３１１  符号化部
１３１２  変調部
１３１３  拡散部
１４１０  第３の論理素子
【図１】
2005110179.tif 000003
【図２】
2005110179.tif 000004
【図３】
2005110179.tif 000005
【図４】
2005110179.tif 000006
【図５】
2005110179.tif 000007
【図６】
2005110179.tif 000008
【図７】
2005110179.tif 000009
【図８】
2005110179.tif 000010
【図９】
2005110179.tif 000011
【図１０】
2005110179.tif 000012
【図１１】
2005110179.tif 000013
【図１２】
2005110179.tif 000014
【図１３】
2005110179.tif 000015
【図１４】
2005110179.tif 000016
【図１５】
2005110179.tif 000017